(57)【要約】【課題】構造が複雑でなく、急速なリベット固定の機能を提供するリベットマシン。【解決手段】リベット、リベットを輸送する輸送管、出口スリーブ、及びリベットを圧入するシリンダ装置を包含する。リベットは中心軸とスリーブを包含し、スリーブは内溝を具え、且つ一端にフランジが形成され、もう一端は二つに分岐し、中心軸は頭部と、頭部より軸方向に延伸された軸部を具え、軸部の一部分は該スリーブの内溝中に収容される。リベットは出口スリーブの出口チャネルに収容され、並びにフランジが出口スリーブの複数の拡張弁片の径方向漸縮部に当接して予備状態とされ、シリンダ装置がハンマヘッドでリベットを打って取り付けを完成する。【選択図】図２
0003137468.tif 000002
【実用新案登録請求の範囲】
【請求項１】
リベットマシンにおいて、
リベットであって、中心軸とスリーブを包含し、該中心軸が軸部と頭部を包含し、該軸部が該頭部の底より軸方向に延伸され、該スリーブの一端にフランジが形成され、別端に二股が形成され、該スリーブを貫通するように設けられた内溝が該フランジより該二股まで延伸され、該中心軸の該軸部が該スリーブより長く、且つ該軸部の一部分が該スリーブの該内溝中に収容された、上記リベットと、
該リベットを輸送するための輸送管と、
出口スリーブであって、本体及び複数の拡張弁片を包含し、該本体が出口チャネルを包含し、該出口チャネルの二端が該輸送管と外部環境に連通し、各拡張弁片は該本体より軸方向に延伸され、且つ径方向漸縮部を包含し、これらの漸縮部の内径が該リベットの該フランジの外径より小さい、上記出口スリーブと、
シリンダ装置であって、該出口チャネルにアラインされたハンマヘッドを具えた、上記シリンダ装置と、
を包含したことを特徴とする、リベットマシン。
【請求項２】
請求項１記載のリベットマシンにおいて、該リベットの該頭部が円弧状とされたことを特徴とする、リベットマシン。
【請求項３】
請求項１記載のリベットマシンにおいて、該リベットの該頭部に内に凹んで該フランジを収容するための重畳空間が設けられたことを特徴とする、リベットマシン。
【請求項４】
請求項１記載のリベットマシンにおいて、該リベットのこれら二股が相互に所定距離離間したことを特徴とする、リベットマシン。
【請求項５】
請求項１記載のリベットマシンにおいて、該出口スリーブの内表面に少なくとも二つの斜面が形成され、これら少なくとも二つの斜面は径方向に内向きで、且つこれら漸縮部に向けて傾斜することを特徴とする、リベットマシン。
【考案の詳細な説明】
【技術分野】
【０００１】
本考案は一種のリベットマシンに係り、特に組立に便利で新規なリベットマシンに関する。
【背景技術】
【０００２】
工業上或いは内装上、リベットは板体間の接合部品として利用され、その方法は、二つの板体の重畳部分に孔開けし、さらにリベットを孔中に挿入する、というもので、それは例えば液晶ディスプレイ或いはコンピュータケースの背板にも応用される。周知のリベット固定の多くは手作業で行われていた。
【０００３】
手作業によるリベット固定作業は時間と手間がかかり、組立効率が低くなり、これによりリベット固定効率をアップできる機械設備が出現した。それはハンマピンの設計を有し、ハンマピンでリベットを打ち込んで固定する、というものである。
【考案の開示】
【考案が解決しようとする課題】
【０００４】
本考案はリベット固定作業が快速に行え、便利であり、且つ構造が簡単なリベットマシンを提供することを課題としている。
【課題を解決するための手段】
【０００５】
請求項１の考案は、リベットマシンにおいて、
リベットであって、中心軸とスリーブを包含し、該中心軸が軸部と頭部を包含し、該軸部が該頭部の底より軸方向に延伸され、該スリーブの一端にフランジが形成され、別端に二股が形成され、該スリーブを貫通するように設けられた内溝が該フランジより該二股まで延伸され、該中心軸の該軸部が該スリーブより長く、且つ該軸部の一部分が該スリーブの該内溝中に収容された、上記リベットと、
該リベットを輸送するための輸送管と、
出口スリーブであって、本体及び複数の拡張弁片を包含し、該本体が出口チャネルを包含し、該出口チャネルの二端が該輸送管と外部環境に連通し、各拡張弁片は該本体より軸方向に延伸され、且つ径方向漸縮部を包含し、これらの漸縮部の内径が該リベットの該フランジの外径より小さい、上記出口スリーブと、
シリンダ装置であって、該出口チャネルにアラインされたハンマヘッドを具えた、上記シリンダ装置と、
を包含したことを特徴とする、リベットマシンとしている。
請求項２の考案は、請求項１記載のリベットマシンにおいて、該リベットの該頭部が円弧状とされたことを特徴とする、リベットマシンとしている。
請求項３の考案は、請求項１記載のリベットマシンにおいて、該リベットの該頭部に内に凹んで該フランジを収容するための重畳空間が設けられたことを特徴とする、リベットマシンとしている。
請求項４の考案は、請求項１記載のリベットマシンにおいて、該リベットのこれら二股が相互に所定距離離間したことを特徴とする、リベットマシンとしている。
請求項５の考案は、請求項１記載のリベットマシンにおいて、該出口スリーブの内表面に少なくとも二つの斜面が形成され、これら少なくとも二つの斜面は径方向に内向きで、且つこれら漸縮部に向けて傾斜することを特徴とする、リベットマシンとしている。
【考案の効果】
【０００６】
本考案のリベットマシンはその構造が新規で従来にはなく、複数の工作物をリベットで結合させる時に相当便利で速やかに作業でき、リベット固定効率をアップできる。
【考案を実施するための最良の形態】
【０００７】
本考案のリベットマシンは、リベット、輸送管、出口スリーブ、シリンダ装置を包含する。上述のリベットは中心軸とスリーブを包含する。中心軸は軸部と頭部を包含し、且つ中心軸の軸部は頭部の底部より軸方向に延伸されている。スリーブの一端にフランジが形成され、もう一端は二股に分かれ、スリーブには更に内溝が設けられ、内溝はフランジ端より延伸されて分岐する。中心軸の軸部はスリーブより長く、且つ軸部の一部分はスリーブの内溝中に収容される。
【０００８】
上述の出口スリーブは本体、及び複数の拡張弁片を包含する。該本体は出口チャネルを包含し、その二端はそれぞれ輸送管及び外部環境に連通する。各拡張弁片は該本体より軸方向に延伸され、且つ径方向漸縮部を具え、該径方向漸縮部が構成する内径はリベットのフランジの外径より小さい。シリンダ装置はハンマヘッドを有し、それは上述の出口スリーブの出口チャネルにアラインされている。
【０００９】
上述のリベットの頭部は円弧状頭部とされ得て、且つリベットの頭部に重畳空間が内向きに凹設され得て、この重畳空間はリベットのフランジを収容可能である。上述のリベットの二股は相互に所定距離離間するか、或いは実質上相互に接触する。
【００１０】
上述の出口スリーブの拡張弁片は４片とされ得て、且つ環状に等角度に設置される。上述の輸送管内にストッパシートを組み付け可能で、それは選択的に輸送管の輸送状態を選択的に開放或いは閉鎖するのに用いられる。
【００１１】
上述の出口スリーブの内表面に少なくとも二つの斜面を形成可能で、例えば、拡張弁片の表面より突出するよう形成される。この少なくとも二つの斜面は径方向に内向きで且つ漸縮部に向けて傾斜する。もし二つの斜面が設けられるなら、その設置は周方向にあって対向するように設置される。もし三つ或いはそれより多くが設置されるなら、等角度に分配方式で設置される。
【００１２】
上述の斜面の位置は、リベットの頭部が斜面に当接する時、リベットのフランジが出口スリーブの拡張弁片に当接する位置とされ得る。
【実施例１】
【００１３】
図１は本考案の好ましい実施例のリベットマシンの表示図である。本実施例では、リベットマシンは、材料箱２１、機体２０、集合管９、及びマシンヘッド２２を包含する。輸送管１１は集合管９内に位置する。材料箱２１内には予備使用のリベットが収容され、並びに機体２０に連通する。リベットは材料箱２１より機体２０と集合管９内の輸送管１１を通り、マシンヘッド２２に至る。
【００１４】
このほか、図２の図１のマシンヘッド断面図を参照されたい。集合管９とマシンヘッド２２は連通し、且つ集合管９内の輸送管１１も独立チャネル方式でマシンヘッド２２内部の特定位置へと延伸されている。マシンヘッド２２内部には更に出口スリーブ１２、シリンダ装置１３、及びストッパ片２４が設けられ、マシンヘッド２２は出口スリーブ１２により外部と連通する。ストッパ片２４はスイッチ２３により制御され、選択的に輸送管１１を閉じる或いは開放する。
【００１５】
上述の出口スリーブ１２はマシンヘッド２２内の末端近くに組み付けられ、本体１２１、及び環状に等角度に設置された四つの拡張弁片１２２を包含する。各拡張弁片１２２は本体１２１より軸方向に延伸され、且つ直径方向漸縮部１２２１を包含する。本体１２１は出口チャネル１２１１を包含し、その二端は輸送管１１及び外部環境に連通する。
【００１６】
輸送管１１と出口チャネル１２１１の連通により輸送管１１を通り運送されてきたリベット１０は出口チャネル１２１１に落とされ、例えば輸送管１１の末端位置が直接出口チャネル１２１１にアラインされる。好ましくは、輸送管１１の管径がリベット１０の最大外径と実質的に同じか或いはわずかに大きく設けられ、これによりリベット１０が正確な方位で出口チャネル１２１１に落とされる。
【００１７】
シリンダ装置１３はハンマヘッド１３１、シリンダ気管１３２、シリンダスイッチ１３３を包含する。ハンマヘッド１３１は出口チャネル１２１１にアラインされ、シリンダ気管１３２はシリンダスイッチ１３３に接続され、シリンダスイッチ１３３はシリンダ装置１３に対する気体供給の制御を請け負う。
【００１８】
図３及び図４はそれぞれ図１のリベットの立体図及び断面図である。リベットマシンのリベット１０は中心軸１０１、及びスリーブ１０２を包含する。中心軸１０１は軸部１０１１と円弧状な頭部１０１２を包含する。そのうち、軸部１０１１は頭部１０１２の底より軸方向に延伸されている。中心軸１０１の頭部１０１２は更に内に凹んだ重畳空間１０１３を有している。
【００１９】
該スリーブ１０２の一端にフランジ１０２１が形成され、もう一端に相互に所定距離Ｄ離間した二股１０２２が設けられている。フランジ１０２１は上述の頭部１０１２の重畳空間１０１３内に収容可能である。スリーブ１０２にはさらに内溝１０２３が設けられ、それはフランジ１０２１より二股１０２２まで延伸されて漸次縮小する。その中心軸１０１の軸部１０１１はスリーブ１０２より長く、且つ軸部１０１１の一部分はスリーブ１０２の内溝１０２３中に収容される。リベット１０のフランジ１０２１の外径は出口スリーブ１２の漸縮部１２２１が構成する内径より大きい。
【００２０】
このほか、図２も併せて参照されたいが、出口スリーブ１２の各拡張弁片１２２の内表面に突出する斜面１２１２が形成され、斜面１２１２は径方向に内向きに、且つ漸縮部１２２１に向けて傾斜する。斜面１２１２の設置位置は、リベット１０の頭部１０１２が斜面１２１２に接触する時に、リベット１０のフランジ１０２１が出口スリーブ１２の拡張弁片１２２に接触する位置とされる。
【００２１】
図１から図４を参照して以下にリベットマシンの運転について説明する。電源が投入されて運転状況とされると、材料箱２１に位置するリベットは空気駆動力を受けて機体２０、輸送管１１に沿ってマシンヘッド２２に運送され、マシンヘッド２２内部の輸送管１１末端に至り、出口チャネル１２１１に落ちる。リベット１０はまずそのフランジ１０２１が出口スリーブ１２の漸縮部１２２１に接触し係止され、この時、リベット１０は一部分がマシンヘッド２２より露出し、これにより露出する部分を工作物３１、３２のリベット孔３３にアラインさせることができる。
【００２２】
続いて図４と図５を参照する。図５はリベット固定完成した瞬間の表示図である。リベット１０が工作物３１、３２のリベット孔３３にアラインさせられた後、シリンダ装置１３を起動してハンマヘッド１３１を作動させ、出口チャネル１２１１に向けて衝撃を与え、並びに続いてリベット１０の頭部１０１２を圧迫させる。リベット１０はハンマヘッド１３１の圧迫を受けた後、その中心軸１０１の軸部１０１１が内溝１０２３内を下向きに移動し、同時にリベット１０は出口スリーブ１２の漸縮部１２２１を押し広げ、並びに出口スリーブ１２より離れ、且つスリーブ１０２の一部分はリベット孔３３に進入する。リベット１０はそのフランジ１０２１で工作物３１表面を圧迫し、ハンマヘッド１３１の続けての圧迫に伴い、中心軸１０１が続いてスリーブ１０２に進入すると共に、スリーブ１０２の二股１０２２を拡張する。拡張後に比較的大きな外径を有する二股１０２２により、二つの工作物３１、３２はリベット結合される。
【００２３】
上述の実施例は本考案の説明のために例示されたものに過ぎず、本考案の主張する権利範囲は実用新案登録請求の範囲の記載に準じ、上述の実施例に限定されない。
【図面の簡単な説明】
【００２４】
【図１】本考案の好ましい実施例のリベットマシンの表示図である。
【図２】図１中のマシンヘッドの断面図である。
【図３】図１中のリベットの立体図である。
【図４】図１中のリベットの断面図である。
【図５】図１中のリベット結合完成の瞬間の表示図である。
【符号の説明】
【００２５】
９  集合管                      １０  リベット
１０１  中心軸                  １０１１  軸部
１０１２  頭部                  １０１３  重畳空間
１０２  スリーブ                １０２１  フランジ
１０２２  二股                  １０２３  内溝
１１  輸送管                    １２  出口スリーブ
１２１  本体                    １２１１  出口チャネル
１２１２  斜面                  １２２  拡張弁片
１２２１  漸縮部                １３  シリンダ装置
１３１  ハンマヘッド            １３２  シリンダ気管
１３３  シリンダスイッチ        ２０  機体
２１  材料箱                    ２２  マシンヘッド
２３  スイッチ                  ２４  ストッパ片
３１、３２  工作物              ３３  リベット孔
【図１】
0003137468.tif 000003
【図２】
0003137468.tif 000004
【図３】
0003137468.tif 000005
【図４】
0003137468.tif 000006
【図５】
0003137468.tif 000007